(57)【特許請求の範囲】
【請求項１】
一対のコネクタハウジングと、この一対のコネクタハウジングのうち一方のコネクタハウジングに設けられ複数の端子が収容された嵌合部と、他方のコネクタハウジングに設けられ前記嵌合部が嵌合され前記複数の端子と嵌合可能な複数の相手端子が収容された被嵌合部とを備えたコネクタであって、
前記被嵌合部は、フレームと、このフレーム内に前記一方のコネクタハウジングの嵌合方向に移動可能に配置され前記嵌合部との嵌合を完了するタイミングが前記フレームが前記嵌合部と嵌合を完了するタイミングと異なる可動ハウジングとを有し、
前記フレームと前記可動ハウジングとには、撓み可能なロックアームと、このロックアームと係合し前記可動ハウジングを前記フレームに仮係止させる係止突部とが設けられ、
前記嵌合部には、前記嵌合部と前記可動ハウジングとが嵌合するときに、前記ロックアームを撓ませ前記ロックアームと前記係止突部との係合を解除させる解除部が設けられ、
前記複数の端子と前記複数の相手端子との嵌合方向は、前記嵌合部と前記被嵌合部との嵌合方向と一致し、
前記解除部は、前記複数の端子と前記複数の相手端子とのうち、全ての組が嵌合していない状態で、前記ロックアームを撓ませることを特徴とするコネクタ。
【請求項２】
請求項１記載のコネクタであって、
前記フレームと前記可動ハウジングとには、前記嵌合部と前記被嵌合部とが嵌合するときに係合し前記可動ハウジングと前記嵌合部との嵌合が完了するまで前記可動ハウジングを前記フレームに保持する係止部が設けられていることを特徴とするコネクタ。
【請求項３】
請求項１又は２記載のコネクタであって、
前記可動ハウジングは、前記フレーム内に複数配置され、
前記複数の可動ハウジングは、前記嵌合部との嵌合を完了するタイミングがそれぞれ異なることを特徴とするコネクタ。
【発明の詳細な説明】
【技術分野】
【０００１】
本発明は、コネクタに関する。
【背景技術】
【０００２】
従来、コネクタとしては、一対のコネクタハウジングと、この一対のコネクタハウジングのうち一方のコネクタハウジングに設けられ端子が収容された嵌合部と、他方のコネクタハウジングに設けられ嵌合部が嵌合され端子と嵌合可能な相手端子が収容された被嵌合部とを備えたものが知られている（例えば、特許文献１参照）。
【０００３】
このコネクタでは、一方のコネクタハウジングの嵌合部が、固定ターミナルホルダが設けられたフレームとしてのアウターハウジングと、アウターハウジング内にコネクタハウジングの嵌合方向に移動可能に配置された可動ハウジングとしての可動ターミナルホルダとを有する。
【０００４】
そして、可動ターミナルホルダは、アウターハウジングの固定ターミナルホルダよりもコネクタハウジングの嵌合方向に先行した状態で仮係止されている。このため、一対のコネクタハウジングを嵌合させると、可動ターミナルホルダが固定ターミナルホルダより先に他方のコネクタハウジングの被嵌合部との嵌合を完了した後、固定ターミナルホルダが他方のコネクタハウジングの被嵌合部との嵌合を完了する。
【０００５】
このようにアウターハウジングと可動コネクタハウジングとの嵌合を完了するタイミングを異ならせることにより、一対のコネクタハウジングの嵌合力を分散することができ、コネクタハウジング内に収容される端子などの多極化に対応することができる。
【先行技術文献】
【特許文献】
【０００６】
【特許文献１】特開平６−１１１８８２号公報
【発明の概要】
【発明が解決しようとする課題】
【０００７】
ところで、上記特許文献１のようなコネクタでは、フレームに対する可動ハウジングの仮係止が可動ハウジングに撓み可能に設けられたロックアームと、このロックアームと係合するフレームに設けられた係止突部とによって行われている。
【０００８】
このロックアームと係止突部との係合は、嵌合部と可動ハウジングとが嵌合するときに、嵌合部に設けられた解除部によってロックアームが撓まされて解除される。
【０００９】
しかしながら、嵌合部と可動ハウジングとの嵌合では、嵌合部と可動ハウジングとの摺動による嵌合力の他に、端子と相手端子との嵌合による嵌合力が加わるので、ロックアームと係止突部との係合部分にこれらの嵌合力が加わった状態となっている。
【００１０】
この状態から解除部によってロックアームを撓ませると、係止突部との係合部分に加わっていた嵌合力が一気に開放され、ロックアームが係止突部を弾いて音が発生してしまうことがあった。
【００１１】
このような音の発生は、一対のコネクタハウジングが完全に嵌合したものと誤認する可能性があり、一対のコネクタハウジングが中途嵌合状態とされてしまう恐れがあった。
【００１２】
そこで、この発明は、ロックアームと係止突部との係合解除による音の発生を抑制することができるコネクタの提供を目的としている。
【課題を解決するための手段】
【００１３】
請求項１記載の発明は、一対のコネクタハウジングと、この一対のコネクタハウジングのうち一方のコネクタハウジングに設けられ複数の端子が収容された嵌合部と、他方のコネクタハウジングに設けられ前記嵌合部が嵌合され前記複数の端子と嵌合可能な複数の相手端子が収容された被嵌合部とを備えたコネクタであって、前記被嵌合部は、フレームと、このフレーム内に前記一方のコネクタハウジングの嵌合方向に移動可能に配置され前記嵌合部との嵌合を完了するタイミングが前記フレームが前記嵌合部と嵌合を完了するタイミングと異なる可動ハウジングとを有し、前記フレームと前記可動ハウジングとには、撓み可能なロックアームと、このロックアームと係合し前記可動ハウジングを前記フレームに仮係止させる係止突部とが設けられ、前記嵌合部には、前記嵌合部と前記可動ハウジングとが嵌合するときに、前記ロックアームを撓ませ前記ロックアームと前記係止突部との係合を解除させる解除部が設けられ、前記複数の端子と前記複数の相手端子との嵌合方向は、前記嵌合部と前記被嵌合部との嵌合方向と一致し、前記解除部は、前記複数の端子と前記複数の相手端子とのうち、全ての組が嵌合していない状態で、前記ロックアームを撓ませることを特徴とする。
【００１４】
このコネクタでは、解除部が、端子と相手端子とが嵌合する前に、ロックアームを撓ませるので、解除部がロックアームを撓ませる前の状態ではロックアームと係止突部との係合部分に嵌合部と可動ハウジングとの摺動による嵌合力のみが加わった状態となっている。
【００１５】
このため、解除部によってロックアームを撓ませても、開放される嵌合力が軽減され、ロックアームが係止突部を弾くことによる音の発生を大幅に低減することができる。
【００１６】
従って、このようなコネクタでは、ロックアームと係止突部との係合解除による音の発生を抑制することができ、一対のコネクタハウジングの中途嵌合を防止することができる。
【００１７】
請求項２記載の発明は、請求項１記載のコネクタであって、前記フレームと前記可動ハウジングとには、前記嵌合部と前記被嵌合部とが嵌合するときに係合し前記可動ハウジングと前記嵌合部との嵌合が完了するまで前記可動ハウジングを前記フレームに保持する係止部が設けられていることを特徴とする。
【００１８】
このコネクタでは、フレームと可動ハウジングとに、嵌合部と被嵌合部とが嵌合するときに係合し可動ハウジングと嵌合部との嵌合が完了するまで可動ハウジングをフレームに保持する係止部が設けられているので、可動ハウジングの嵌合が完了するまでの間に、可動ハウジングをフレーム内に確実に仮係止させることができる。
【００１９】
請求項３記載の発明は、請求項１又は２記載のコネクタであって、前記可動ハウジングは、前記フレーム内に複数配置され、前記複数の可動ハウジングは、前記嵌合部との嵌合を完了するタイミングがそれぞれ異なることを特徴とする。
【００２０】
このコネクタでは、複数の可動ハウジングが、嵌合部との嵌合を完了するタイミングがそれぞれ異なるので、一対のコネクタハウジングの嵌合力をさらに分散することができ、一対のコネクタハウジングの嵌合作業性を向上することができる。
【発明の効果】
【００２１】
本発明によれば、ロックアームと係止突部との係合解除による音の発生を抑制することができるコネクタを提供することができるという効果を奏する。
【図面の簡単な説明】
【００２２】
【図１】本発明の実施の形態に係るコネクタの分解斜視図である。
【図２】本発明の実施の形態に係るコネクタの一対のコネクタハウジングの嵌合を開始するときの断面図である。
【図３】本発明の実施の形態に係るコネクタの一対のコネクタハウジングの嵌合途中の断面図である。
【図４】本発明の実施の形態に係るコネクタの一対のコネクタハウジングの嵌合途中の断面図である。
【図５】本発明の実施の形態に係るコネクタの一対のコネクタハウジングの嵌合を開始するときの断面図である。
【図６】本発明の実施の形態に係るコネクタの一対のコネクタハウジングの嵌合途中の断面図である。
【図７】本発明の実施の形態に係るコネクタの一対のコネクタハウジングの嵌合途中の断面図である。
【発明を実施するための形態】
【００２３】
図１〜図７を用いて本発明の実施の形態に係るコネクタについて説明する。
【００２４】
本実施の形態に係るコネクタ１は、一対のコネクタハウジング３，５と、この一対のコネクタハウジング３，５のうち一方のコネクタハウジング３に設けられ端子７が収容された嵌合部９と、他方のコネクタハウジング５に設けられ嵌合部９が嵌合され端子７と嵌合可能な相手端子１１が収容された被嵌合部１３とを備えている。
【００２５】
また、被嵌合部１３は、フレーム１５と、このフレーム１５内に一方のコネクタハウジング３の嵌合方向に移動可能に配置され嵌合部９との嵌合を完了するタイミングがフレーム１５と異なる可動ハウジング１７とを有する。
【００２６】
さらに、フレーム１５と可動ハウジング１７とには、撓み可能なロックアーム１９と、このロックアーム１９と係合し可動ハウジング１７をフレーム１５に仮係止させる係止突部２１とが設けられている。
【００２７】
また、嵌合部９には、嵌合部９と可動ハウジング１７とが嵌合するときに、ロックアーム１９を撓ませロックアーム１９と係止突部２１との係合を解除させる解除部２３が設けられている。
【００２８】
そして、解除部２３は、端子７と相手端子１１とが嵌合する前に、ロックアーム１９を撓ませる。
【００２９】
また、フレーム１５と可動ハウジング１７とには、嵌合部９と被嵌合部１３とが嵌合するときに係合し可動ハウジング１７と嵌合部９との嵌合が完了するまで可動ハウジング１７をフレーム１５に保持する係止部２５が設けられている。
【００３０】
さらに、可動ハウジング１７は、フレーム１５内に複数配置され、複数の可動ハウジング１７，１７は、嵌合部９との嵌合を完了するタイミングがそれぞれ異なる。
【００３１】
図１〜図７に示すように、一対のコネクタハウジング３，５のうち一方のコネクタハウジング３は、合成樹脂などの絶縁性材料からなり、一側面側に他方のコネクタハウジング５の被嵌合部１３に嵌合される複数（ここでは３つ）の嵌合部９が設けられている。
【００３２】
複数の嵌合部９内には、それぞれ一方のコネクタハウジング３の他側面に設けられた複数の開口から複数の端子７が挿入されて収容配置される。
【００３３】
この複数の端子７は、それぞれ電源や機器などに接続された電線の端末部に圧着などによって電気的に接続され、内部に弾性的に接触可能な接点部が設けられた箱状の接続部を有する雌型端子となっている。
【００３４】
このような端子７を収容する嵌合部９が設けられた一方のコネクタハウジング３は、複数の嵌合部９側を他方のコネクタハウジング５側に移動させることにより、複数の嵌合部９と、他方のコネクタハウジング５の被嵌合部１３とが嵌合される。
【００３５】
他方のコネクタハウジング５は、車両に配置された静止系部材としてのピラー２７の取付孔２９に撓み可能に設けられた仮ロック部３１を介して取り付けられ、ピラー２７の取付孔２９から被嵌合部１３の一側面に位置する開口側が露出される。
【００３６】
この被嵌合部１３には、一方のコネクタハウジング３の嵌合部９が嵌合される。このような被嵌合部１３は、フレーム１５と、複数（ここでは２つ）の可動ハウジング１７とを有する。
【００３７】
なお、一方のコネクタハウジング３の嵌合部９の上面には係合部３２が設けられ、他方のコネクタハウジング５の被嵌合部１３の上面には撓み可能にロック部３３が設けられ、係合部３２とロック部３３とが係合することにより一対のコネクタハウジング３，５の嵌合状態が保持される。
【００３８】
フレーム１５は、合成樹脂などの絶縁性材料からなり、複数（ここでは３つ）の収容室３５を区画するように筐体状に形成されている。複数の収容室３５のうち中央部に位置する収容室３５の底部側には、一方のコネクタハウジング３に収容された複数の端子７に接続される複数の相手端子１１が他面側に設けられた複数の開口から挿入されて収容配置される。
【００３９】
この複数の相手端子１１は、それぞれ電源や機器などに接続された電線の端末部に圧着などによって電気的に接続され、端子７の箱状の接続部内に挿入されるタブ状の接続部を有する雄型端子となっている。
【００４０】
複数の収容室３５のうち両側に位置する収容室３５，３５内には、フレーム１５の他側面側の開口からそれぞれ可動ハウジング１７，１７が挿入され、可動ハウジング１７がフレーム１５内に一方のコネクタハウジング３の嵌合方向に移動可能に収容配置される。
【００４１】
可動ハウジング１７，１７は、合成樹脂などの絶縁性材料からなり、フレーム１５の両側に位置する収容室３５，３５内にそれぞれ収容配置される。この可動ハウジング１７の底部側には、フレーム１５の中央部に位置する収容室３５と同様に、複数の相手端子１１が他面側に設けられた複数の開口からそれぞれ挿入されて収容配置される。
【００４２】
このような可動ハウジング１７，１７は、フレーム１５の収容室３５，３５内において、フレーム１５内に配置された状態から可動ハウジング１７，１７が一方のコネクタハウジング３の嵌合部９との嵌合完了状態に至るまでの間に、ロックアーム１９と係止突部２１との係合と、係止部２５の係合とによってフレーム１５内における仮係止状態が保持される。
【００４３】
なお、ロックアーム１９と係止突部２１との係合及び係止部２５の係合は、可動ハウジング１７，１７において、同様の構成であり、仮係止を解除するタイミングが異なるだけであるので、以下では一方の可動ハウジング１７について説明する。
【００４４】
ロックアーム１９は、フレーム１５の収容室３５内の上方に、一方のコネクタハウジング３の嵌合方向前側を基端とし、嵌合方向後側を自由端として撓み可能に設けられ、自由端側に係止突部２１と係合可能な係合部３７が下方に向けて突設されている。
【００４５】
また、ロックアーム１９の自由端側には、一方のコネクタハウジング３の嵌合方向後側から嵌合方向前側に向けて下り傾斜となる傾斜面３９ａを有する摺動部３９が側方に向けて突設されている。
【００４６】
係止突部２１は、可動ハウジング１７の上面に、一方のコネクタハウジング３の嵌合方向後側から嵌合方向前側に向けて上り傾斜となるように直角三角形状に設けられている。この係止突部２１には、ロックアーム１９の係合部３７が斜面の背面側に係合される。
【００４７】
このロックアーム１９と係止突部２１とは、可動ハウジング１７をフレーム１５の収容室３５に挿入することにより、ロックアーム１９の係合部３７が係止突部２１の斜面に沿って摺動し、ロックアーム１９が撓まされ、係止突部２１の斜面を乗り越えることによってロックアーム１９が復元し、ロックアーム１９の係合部３７が係止突部２１の背面側に係合される。
【００４８】
このロックアーム１９と係止突部２１との係合により、可動ハウジング１７のフレーム１５の収容室３５内からの抜け止めがなされ、可動ハウジング１７がフレーム１５に仮係止された状態となる。この可動ハウジング１７の仮係止状態は、一方のコネクタハウジング３の嵌合部９に設けられた解除部２３によって解除される。
【００４９】
解除部２３は、一方のコネクタハウジング３の嵌合部９の上面側に、一対のコネクタハウジング３，５の嵌合方向に向けて延設されている。この解除部２３は、一対のコネクタハウジング３，５が嵌合することにより、フレーム１５の収容室３５内に挿入され、ロックアーム１９の摺動部３９の傾斜面３９ａに沿って摺動し、ロックアーム１９を上方に向けて撓ませる。
【００５０】
このロックアーム１９の撓みにより、ロックアーム１９の係合部３７と係止突部２１との係合が解除、すなわちフレーム１５に対する可動ハウジング１７の仮係止状態が解除され、可動ハウジング１７がフレーム１５の収容室３５内を一方のコネクタハウジング３の嵌合方向前側に向けて移動可能となる。
【００５１】
この解除部２３によるロックアーム１９と係止突部２１との係合解除のタイミングは、嵌合部９に収容された端子７と被嵌合部１３に収容された相手端子１１とが嵌合する前の状態で、解除部２３がロックアーム１９を撓ませるように設定されている。
【００５２】
詳細には、解除部２３がロックアーム１９を撓ませるとき、図３に示すように、解除部２３の先端部が摺動部３９の傾斜面３９ａと摺動を開始し、傾斜面３９ａを摺動することにより、図４に示すように、ロックアーム１９が撓むことになる。
【００５３】
このようにロックアーム１９と係止突部２１との係合を解除させることにより、図３の矢印で示すように、ロックアーム１９の係合部３７と係止突部２１との係合面に加わる嵌合力Ｆ１が、一方のコネクタハウジング３の嵌合部９と可動ハウジング１７との摺動のみとなり、端子７と相手端子１１との嵌合力が加わることがない。
【００５４】
このため、解除部２３がロックアーム１９を撓ませたときに、図４の矢印で示すように、ロックアーム１９の係合部３７と係止突部２１との係合面で開放される嵌合力Ｆ２が軽減され、ロックアーム１９の係合部３７が係止突部２１を弾くことによって発生する音を大幅に低減することができる。
【００５５】
一方、フレーム１５と可動ハウジング１７とには、嵌合部９と被嵌合部１３とが嵌合するときに係合し可動ハウジング１７と嵌合部９との嵌合が完了するまで可動ハウジング１７をフレーム１５に保持する係止部２５が設けられている。
【００５６】
係止部２５は、可動ハウジング１７の両側面にそれぞれ撓み可能に設けられた変位部４１と、フレーム１５の収容室３５の両側壁にそれぞれ設けられた被係合部４３とを有する。
【００５７】
変位部４１は、可動ハウジング１７の両側面に、それぞれ一方のコネクタハウジング３の嵌合方向前側を基端とし、嵌合方向後側を自由端として撓み可能に設けられ、自由端側が外方に向けてフック状に設けられている。
【００５８】
被係合部４３は、フレーム１５の収容室３５の両側壁に、それぞれ一方のコネクタハウジング３の嵌合方向後側に段差状に設けられている。この被係合部４３には、一方のコネクタハウジング３の嵌合部９の両側面にそれぞれ突設された変位突起４５によって変位部４１が撓まされることにより変位部４１の自由端側が係合される。
【００５９】
このような係止部２５は、一対のコネクタハウジング３，５が嵌合することにより、一方のコネクタハウジング３の嵌合部９の変位突起４５によって変位部４１が外方に向けて撓まされ、変位部４１の自由端側が被係合部４３に係合する。
【００６０】
この係止部２５の係合により、可動ハウジング１７がフレーム１５内を移動することがなく、可動ハウジング１７のフレーム１５に対する仮係止位置を保持することができる。
【００６１】
この係止部２５の係合は、一対のコネクタハウジング３，５の嵌合が進むことにより、嵌合部９の変位突起４５と変位部４１との当接が終了し、変位部４１が復元されることによって解除される。
【００６２】
このような係止部２５の係合のタイミングは、解除部２３がロックアーム１９を撓ませるときに係合が開始され、嵌合部９と可動ハウジング１７とが完全に嵌合したときに係合が解除される。
【００６３】
このように係止部２５の係合を設定することにより、嵌合部９と可動ハウジング１７とが完全に嵌合するまで可動ハウジング１７のフレーム１５に対する仮係止位置を保持することができ、嵌合部９と可動ハウジング１７との中途嵌合状態を防止することができる。
【００６４】
このような係止部２５の係合やロックアーム１９と係止突部２１との係合によってフレーム１５内に保持される可動ハウジング１７，１７は、一方のコネクタハウジング３の嵌合部９との嵌合を完了するタイミングが、一方の可動ハウジング１７と他方の可動ハウジング１７とで異なるように設定されている。
【００６５】
詳細には、フレーム１５の収容室３５内において、一方の可動ハウジング１７（ここでは図５における上側の可動ハウジングとする）が、他方の可動ハウジング１７（ここでは図５における下側の可動ハウジングとする）よりも嵌合方向前側に位置されている。
【００６６】
このため、一対のコネクタハウジング３，５を嵌合させると、まず、一方の可動ハウジング１７が一方のコネクタハウジング３の嵌合部９との嵌合を完了し、次に、他方の可動ハウジング１７が一方のコネクタハウジング３の嵌合部９との嵌合を完了する。
【００６７】
なお、コネクタ１では、フレーム１５が静止系部材であるピラー２７に固定されているので、最後にフレーム１５と一方のコネクタハウジング３の嵌合部９との嵌合が完了するように設定されている。
【００６８】
このようなコネクタ１における一対のコネクタハウジング３，５の嵌合は、まず、図５に示すように、一方の可動ハウジング１７が１番目に嵌合を開始し、他方の可動ハウジング１７が２番目に嵌合を開始し、フレーム１５の中央に位置する収容室３５が３番目に嵌合を開始するように、フレーム１５の収容室３５内に可動ハウジング１７を収容し、一対のコネクタハウジング３，５の嵌合を開始する。
【００６９】
次に、図６に示すように、一方のコネクタハウジング３の嵌合部９を他方のコネクタハウジング５の被嵌合部１３にさらに挿入させ、一方のコネクタハウジング３の嵌合部９と一方の可動ハウジング１７との嵌合を開始する。
【００７０】
このとき、図３に示すように、嵌合部９の解除部２３がロックアーム１９の摺動部３９と当接し、ロックアーム１９を上方に向けて撓ませてロックアーム１９と係止突部２１との係合解除を開始する。
【００７１】
この状態では、端子７と相手端子１１とが嵌合しておらず、図６に示すように、嵌合部９の変位突起４５が変位部４１と当接し、変位部４１を外方に向けて撓ませて変位部４１と被係合部４３との係合を開始する。
【００７２】
次に、図７に示すように、一方のコネクタハウジング３の嵌合部９を他方のコネクタハウジング５の被嵌合部１３にさらに挿入させる。このとき、図４に示すように、嵌合部９の解除部２３がロックアーム１９を完全に上方に向けて撓ませ、ロックアーム１９と係止突部２１との係合を解除する。
【００７３】
この状態では、端子７と相手端子１１とが嵌合を開始しており、図７に示すように、嵌合部９と可動ハウジング１７とが完全に嵌合していないので、係止部２５の係合が継続されている。
【００７４】
次に、不図示ではあるが、一方のコネクタハウジング３の嵌合部９を他方のコネクタハウジング５の被嵌合部１３にさらに挿入させ、一方のコネクタハウジング３の嵌合部９と一方の可動ハウジング１７との嵌合を完了すると共に、一方のコネクタハウジング３の嵌合部９と他方の可動ハウジング１７との嵌合を開始する。
【００７５】
このとき、一方の可動ハウジング１７は、係止部２５の係合によるフレーム１５に対する仮係止が解除されているので、一方のコネクタハウジング３の嵌合方向に移動され、一方のコネクタハウジング３の挿入を阻害することがない。
【００７６】
次に、不図示ではあるが、一方のコネクタハウジング３の嵌合部９を他方のコネクタハウジング５の被嵌合部１３にさらに挿入させ、一方のコネクタハウジング３の嵌合部９と他方の可動ハウジング１７との嵌合を完了すると共に、一方のコネクタハウジング３の嵌合部９とフレーム１５との嵌合を開始する。
【００７７】
このとき、両方の可動ハウジング１７，１７は、係止部２５の係合によるフレーム１５に対する仮係止が解除されているので、一方のコネクタハウジング３の嵌合方向に移動され、一方のコネクタハウジング３の挿入を阻害することがない。
【００７８】
最後に、不図示ではあるが、一方のコネクタハウジング３の嵌合部９を他方のコネクタハウジング５の被嵌合部１３にさらに挿入させ、一方のコネクタハウジング３の嵌合部９とフレーム１５の中央に位置する収容室３５とが嵌合され、一方のコネクタハウジング３の嵌合部９とフレーム１５との嵌合を完了する。
【００７９】
なお、一対のコネクタハウジング３，５は、嵌合が完了した状態で、一方のコネクタハウジング３の係合部３２と他方のコネクタハウジング５のロック部３３とが係合することにより嵌合状態が保持される。
【００８０】
一方、嵌合が完了した一対のコネクタハウジング３，５は、他方のコネクタハウジング５の仮ロック部３１とピラー２７の取付孔２９との係合を解除し、一方のコネクタハウジング３に撓み可能に設けられた本ロック部４７をピラー２７の取付孔２９に係合させることによりピラー２７に対する組付状態が保持される。
【００８１】
このように一方のコネクタハウジング３の嵌合部９と、他方のコネクタハウジング５の被嵌合部１３を構成するフレーム１５と可動ハウジング１７，１７との嵌合完了のタイミングを異ならせることにより、一対のコネクタハウジング３，５の嵌合における挿入力のピークを分散させることができ、一対のコネクタハウジング３，５の嵌合作業性を向上することができる。
【００８２】
このようなコネクタ１では、解除部２３が、端子７と相手端子１１とが嵌合する前に、ロックアーム１９を撓ませるので、解除部２３がロックアーム１９を撓ませる前の状態ではロックアーム１９と係止突部２１との係合部分に嵌合部９と可動ハウジング１７との摺動による嵌合力のみが加わった状態となっている。
【００８３】
このため、解除部２３によってロックアーム１９を撓ませても、開放される嵌合力が軽減され、ロックアーム１９が係止突部２１を弾くことによる音の発生を大幅に低減することができる。
【００８４】
従って、このようなコネクタ１では、ロックアーム１９と係止突部２１との係合解除による音の発生を抑制することができ、一対のコネクタハウジング３，５の中途嵌合を防止することができる。
【００８５】
また、フレーム１５と可動ハウジング１７とには、嵌合部９と被嵌合部１３とが嵌合するときに係合し可動ハウジング１７と嵌合部９との嵌合が完了するまで可動ハウジング１７をフレーム１５に保持する係止部２５が設けられているので、可動ハウジング１７の嵌合が完了するまでの間に、可動ハウジング１７をフレーム１５内に確実に仮係止させることができる。
【００８６】
さらに、複数の可動ハウジング１７，１７は、嵌合部９との嵌合を完了するタイミングがそれぞれ異なるので、一対のコネクタハウジング３，５の嵌合力をさらに分散することができ、一対のコネクタハウジング３，５の嵌合作業性を向上することができる。
【００８７】
なお、本発明の実施の形態に係るコネクタでは、他方のコネクタハウジングがピラーなどの静止系部材に固定されているが、これに限らず、一対のコネクタハウジングのうちいずれか一方を静止系部材に固定しなくともよい。
【００８８】
また、ロックアームがフレームに設けられ、係止突部が可動ハウジングに設けられているが、これに限らず、ロックアームを可動ハウジングに設け、係止突部をフレームに設けてもよい。
【００８９】
さらに、可動ハウジングは、フレーム内に２つ配置されているが、これに限らず、２つ以上可動ハウジングをフレーム内に移動可能に配置させてもよい。加えて、複数の可動ハウジングは、フレームの幅方向だけでなく、高さ方向に配置させてもよい。
【符号の説明】
【００９０】
１…コネクタ
３…一方のコネクタハウジング
５…他方のコネクタハウジング
７…端子
９…嵌合部
１１…相手端子
１３…被嵌合部
１５…フレーム
１７…可動ハウジング
１９…ロックアーム
２１…係止突部
２３…解除部
２５…係止部
【図１】
0006297957.tif 000002
【図２】
0006297957.tif 000003
【図３】
0006297957.tif 000004
【図４】
0006297957.tif 000005
【図５】
0006297957.tif 000006
【図６】
0006297957.tif 000007
【図７】
0006297957.tif 000008